(57)【要約】【課題】投入材を確実に切断処理することができる切断処理装置を提供すること。【解決手段】軸３ａ，３ｂを平行とする回転カッタ４ａ，４ｂ間で投入材を切断処理する切断処理装置１において、投入材の投入材供給部１１における両回転カッタの境界に仕切り案内板１２を配設し、当該仕切り案内板によって、投入材が一方の回転カッタのみに案内されるようにしたことを特徴とする。【選択図】図３
2015229120.tif 000002
【特許請求の範囲】
【請求項１】
複数個のブレードを円周方向に沿って配列したディスクを当該ディスクの中心軸方向に所定間隔で並設した回転カッタが互いに平行な２本の回転軸のそれぞれに設けられ、一方の回転カッタにおけるディスクが他方の回転カッタにおける隣り合うディスクの間に位置するように両回転カッタが配置され、前記両回転カッタ間に投入材を引き込んで、前記両回転カッタによる剪断によって投入材の切断処理を行うように構成された切断処理装置において、前記一方の回転カッタに対向して投入材供給部が配置されるとともに、当該投入材供給部にある投入材を前記一方の回転カッタに押し付ける投入材押付け手段が配置されていることを特徴とする切断処理装置。
【請求項２】
両回転カッタの間には、前記一方の回転カッタ側と前記他方の回転カッタ側とを仕切る仕切り案内板が配置され、前記仕切り案内板の案内によって前記投入材は前記一方の回転カッタに供給されることを特徴とする請求項１に記載の切断処理装置。
【請求項３】
前記他方の回転カッタの対向部分は閉塞板によって投入材の供給ができないように閉塞されていることを特徴とする請求項１又は請求項２の切断処理装置。
【請求項４】
複数個のブレードを円周方向に沿って配列したディスクを当該ディスクの中心軸方向に所定間隔で並設した回転カッタが互いに平行な２本の回転軸のそれぞれに設けられ、一方の回転カッタにおけるディスクが他方の回転カッタにおける隣り合うディスクの間に位置するように両回転カッタが配置され、前記両回転カッタ間に投入材を引き込んで、前記両回転カッタによる剪断によって投入材の切断処理を行うように構成された切断処理装置を用いて、箱入り投入材を切断処理するにあたり、投入材押付け手段によって投入材を箱ごと前記一方の回転カッタに押し付け、当該一方の回転カッタによって両回転カッタの間に送り込むことを特徴とする切断処理方法。
【発明の詳細な説明】
【技術分野】
【０００１】
本発明は、切断処理装置に関するもので、詳しくは、平行な２本の軸のそれぞれに配設した回転カッタ間に投入材を引き込んで切断処理する切断処理装置及び切断処理方法に関するものである。
【背景技術】
【０００２】
従来、切断処理装置として、複数個のブレードを円周方向に沿って配列したディスクと、当該ディスクより小径のカラー（スペーサ）とを交互に配設して構成された回転カッタを平行な２本の回転軸のそれぞれに設け、一方の回転カッタにおけるディスクのブレードが他方の回転カッタのカラーに対向するようにして、両回転カッタのディスク同士を互いに嵌合させた構造を備え、両回転カッタのディスクのブレードによって当該両回転カッタ間に投入材を引き込んで、投入材の切断処理を行うものが知られている（例えば、特許文献１参照）。
【先行技術文献】
【特許文献】
【０００３】
【特許文献１】特開平６−３２００３８号公報
【発明の概要】
【発明が解決しようとする課題】
【０００４】
ところで、両回転カッタのディスクのブレードによって両回転カッタ間に投入材を送り込む上記のような切断処理装置によれば、例えば、段ボール等の箱に収納された書類を箱ごと切断処理しようとする場合に箱ごと切断処理装置に投入すると、箱が両回転カッタのディスク間に引き込まれることなく、両ディスク上で踊った状態になってしまうことがある。そして、このような場合、箱から書類を取り出して、その取り出した書類を両回転カッタ間に投入せざるを得ないため、作業性の低下を招く。また、箱から書類を取り出すとすれば、書類が機密書類等のように秘密性の高いものである場合、取り出した書類が散乱したりして、思わぬ事態を生じる虞もある。
また、両回転カッタのディスクのブレードによって両回転カッタ間に投入材を送り込む上記のような切断処理装置によれば、両回転カッタのディスクのブレードによって一度に多量の投入材が切断処理部に引き込まれるため、両回転カッタ間で詰まりが生じ易い。そして、詰まりが生じた場合には、再稼動させるために、運転を止めた上で詰まった投入材を取り除かなくてはならず、却って、作業性の低下を招いてしまうこともある。
なお、最近では、詰まりが生じた場合に、一対の回転カッタを一時的に切断処理時の回転方向とは反対の方向に回転させて詰まりを解消した後、再度、切断処理を行う切断処理装置も考えられているが、詰まりが度々生じる場合には、やはり、作業性の低下を招いてしまう虞がある。
【０００５】
本発明は、かかる事情に鑑みなされたもので、投入材を確実且つ効率的に切断処理することができる切断処理装置及び切断処理方法を提供することを目的としている。
【課題を解決するための手段】
【０００６】
請求項１の切断処理装置は、複数個のブレードを円周方向に沿って配列したディスクを当該ディスクの中心軸方向に所定間隔で並設した回転カッタが互いに平行な２本の回転軸のそれぞれに設けられ、一方の回転カッタにおけるディスクが他方の回転カッタにおける隣り合うディスクの間に位置するように両回転カッタが配置され、前記両回転カッタ間に投入材を引き込んで、前記両回転カッタによる剪断によって投入材の切断処理を行うように構成された切断処理装置において、前記一方の回転カッタに対向して投入材供給部が配置されるとともに、当該投入材供給部にある投入材を前記一方の回転カッタに押し付ける投入材押付け手段が配置されていることを特徴とする。
【０００７】
請求項２の切断処理装置は、請求項１の切断処理装置であって、両回転カッタの間には、前記一方の回転カッタ側と前記他方の回転カッタ側とを仕切る仕切り案内板が配置され、前記仕切り案内板の案内によって前記投入材は前記一方の回転カッタに供給されることを特徴とする。
【０００８】
請求項３の切断処理装置は、請求項１又は請求項２の切断処理装置であって、前記他方の回転カッタの対向部分は閉塞板によって投入材の供給ができないように閉塞されていることを特徴とする。
【０００９】
請求項４に記載の切断処理方法は、複数個のブレードを円周方向に沿って配列したディスクを当該ディスクの中心軸方向に所定間隔で並設した回転カッタが互いに平行な２本の回転軸のそれぞれに設けられ、一方の回転カッタにおけるディスクが他方の回転カッタにおける隣り合うディスクの間に位置するように両回転カッタが配置され、前記両回転カッタ間に投入材を引き込んで、前記両回転カッタによる剪断によって投入材の切断処理を行うように構成された切断処理装置を用いて、箱入り投入材を切断処理するにあたり、投入材押付け手段によって投入材を箱ごと前記一方の回転カッタに押し付け、当該一方の回転カッタによって両回転カッタの間に送り込むことを特徴とする。
【発明の効果】
【００１０】
請求項１及び請求項４に記載の切断処理装置及び切断処理方法によれば、例えば、段ボール等の箱に収納された書類（投入材）を切断処理しようとする場合、先ず、投入材は投入材押付け手段によって一方の回転カッタに押し付けられ、当該一方の回転カッタのブレードによってある程度まで細かく掻き切られ、その後、両回転カッタ間に引き込まれ、両回転カッタによって切断処理される。
したがって、両回転カッタのディスクのブレードによって両回転カッタ間に投入材を送り込む従来の切断処理装置に比べて、両回転カッタ間に送り込まれる投入材の量が半分程度となるが、その分、詰まりが生じにくくなるので、結果的に、効率的に切断処理することができる。
また、投入材は投入材押付け手段によって一方の回転カッタに押し付けられるので、投入材が回転カッタの上で踊ることも防止される。この点でも、効率的に切断処理することができる。
【００１１】
請求項２に記載の切断処理装置によれば、一方の回転カッタ側と他方の回転カッタ側とを仕切る仕切り案内板が配置されているので、仕切り案内板によって、投入材は確実に一方の回転カッタまで案内されることになる。
【００１２】
請求項３に記載の切断処理装置によれば、他方の回転カッタの対向部分は閉塞されているので、投入材は確実に一方の回転カッタだけに供給されることになる。
【図面の簡単な説明】
【００１３】
【図１】本発明に係る切断処理装置の実施形態を示した一部切り欠き平面図である。
【図２】図１における概念的なＩＩ−ＩＩ線断面図である。
【図３】本実施形態の切断処理装置の要部を示した説明図である。
【図４】本発明に係る切断処理装置の第１の変形例を示した図である。
【図５】本発明に係る切断処理装置の他の変形例として、回転カッタを縦に配置したものを模式的に示した第２の変形例の図であり、（ａ）は上部回転カッタに投入材を供給する例を示し、（ｂ）は下部回転カッタに投入材を供給する第３の変形例の図である。
【発明を実施するための形態】
【００１４】
以下、本発明に係る切断処理装置の実施形態を図面に基づいて説明する。
【００１５】
実施形態の切断処理装置１は、図１および図２に示すように、機枠２に水平且つ回転可能に支持された２本の回転軸３（３ａ，３ｂ）を備えている。そして、この２本の回転軸３ａ，３ｂの各々には、回転カッタ４（４ａ，４ｂ）が１つずつ固定して取り付けられている。
【００１６】
回転カッタ４は、図３に示すように、複数個のブレード５（５ａ，５ｂ）を円周方向に沿って複数、等間隔に配列したディスク６（６ａ，６ｂ）と、当該ディスク６より小径のカラー７（７ａ，７ｂ）とを回転軸３（３ａ，３ｂ）の軸線方向（ディスク６の中心軸方向）に交互に並設して構成されている（図１参照）。
なお、ブレード５は、ディスク６と一体に形成してもよいし、ディスク６に刃先チップを植設することによっても形成してもよい。また、ブレードの高さ（刃丈）も１つのディスク６内で一定でなくてもよい。さらに、カラー７はなくてもよい。要は、ディスク６がディスク６の中心軸方向に所定間隔で並設されていればよい。
【００１７】
ここで、回転カッタ４において、ディスク６の径及びカラー７の径はそれぞれ一定となっている。また、回転カッタ４において、ディスク６の幅及びカラー７の幅はそれぞれ一定となっている。ディスク６の幅とカラー７の幅は同じである。
そして、両回転カッタ４は、キー８等によって回転軸３ａ，３ｂに固定して取り付けられている。両回転カッタ４は、回転軸３ａ，３ｂに取り付けられた状態では、一方の回転カッタ４におけるディスク６が他方の回転カッタ４のカラー７に対向するとともに、両回転カッタ４の回転に伴って当該一方の回転カッタ４のブレード５の刃先縁が当該他方の回転カッタ４のカラー７の外周に外接するように、両回転カッタ４ａ，４ｂのディスク６ａ，６ｂ同士が互いに嵌合した形となっている。
なお、本実施形態では、両回転カッタ４の回転に伴って一方の回転カッタ４のブレード５の刃先縁が他方の回転カッタ４のカラー７の外周に外接するように構成されているが、両回転カッタ４ａ，４ｂのディスク６ａ，６ｂ同士が互いに嵌合した形となっていれば、ブレード５の刃先縁とカラー７との間に隙間があってもよい。
【００１８】
また、ディスク６のブレード５は、図１及び図３に示すように、刃先面及び刃背面によって画成される刃先縁がディスク６の母線に対して僅かに傾斜して形成されている。これによって、ブレード５の刃先が投入材に食い込みやすくなるとともに、一方の回転カッタ４のブレード５の刃先縁の各部が幅方向の一端から他端に向けて他他方の回転カッタ４のカラー７の表面に時間差をもって連続的に当接するようにして、切断処理の際に回転軸３に加わる負荷を軽減させることができる。
【００１９】
さらに、回転カッタ４の隣り合うディスク６におけるブレード５は、図１に示すように、その位相が互いにずれるようにして配置されている。これによって、各ディスク６のブレード５の刃先縁が、他方の回転カッタ４のカラー７に同時期に当接することを避けて、回転軸３へ集中して負荷がかかるのを防ぐことができる。
【００２０】
また、カラー７は隣り合うディスク６を所定間隔に保持するためのスペーサとして機能するとともに、ここでは相手方ブレード５の刃先縁との間で投入材を切断処理する機能をも有している。このカラー７は上述したように無くてもよい。
本実施形態では、このカラー７はディスク６と一体に構成されている。
すなわち、本実施形態のディスク６は、２つのディスク６を一体に形成した２連のディスクとなっている。具体的には、隣り合う２枚のディスク６が１つのカラー７によって連結された構造となっている。また、この２連のディスクにおいては、連結された２枚のディスク６の外側に１つのカラー７の幅の半分の幅を有するカラー部分が連結されている。このカラー部分は、隣の２連のディスクのカラー部分と相俟って１つのカラー７を構成している。
なお、本実施形態では、ディスク６とカラー７とは一体となっているが、ディスク６とカラー７とを別々に構成してもよいことは勿論である。
【００２１】
以上のように構成された両回転カッタ４はモータ９によって回転駆動されるように構成されている。
すなわち、図１に示すように、一方の回転カッタ４ａの回転軸３ａはモータ９の駆動軸に直結されている。また、回転軸３ａには歯車１０ａが、一方、回転軸３ｂには歯車１０ｂがそれぞれ固定して取り付けられている。そして、歯車１０ａと歯車１０ｂとは互いに噛合されている。その結果、モータ９によって回転された一方の回転軸３ａの回転は、歯車１０ａ，１０ｂを介して他方の回転軸３ｂに伝達される。そして、両回転カッタ４ａ，４ｂは、図２または図３に矢印で示したように、投入材を引き込むように、互いに反対方向に回転されるようになっている。
なお、本実施形態では、回転軸３ａをモータ９に直結させているが、回転軸３ａを減速歯車列を介してモータ９に連結させることもできる。また、互いに噛合する歯車１０ａ，１０ｂの歯数を異ならせて、回転軸３ａ，３ｂの回転数を異ならせることもできる。さらに、回転軸３にトルクセンサを設けて過負荷が作用した場合にモータ９を反転させるようにしてもよい。
【００２２】
また、本実施形態の切断処理装置１においては、回転カッタ４ａに対向して投入材供給部１１が構成されている。この投入材供給部１１は回転カッタ４ａに投入材を供給する部分である。一方、回転カッタ４ｂの対向部分は、投入材を回転カッタ４ｂに供給できないように閉塞板１２ａによって閉塞されている。
さらに、両回転カッタ４ａ，４ｂの間には、一方の回転カッタ４ａ側と他方の回転カッタ４ｂ側とを仕切る仕切り案内板１２が上記閉塞板１２ａに立設されている。この仕切り案内板１２は、投入材を回転カッタ４ａに向けて案内するとともに、掻き切りの際の投入材の飛び散りを防止する働きをする。
なお、仕切り案内板１２は無くてもよい。
【００２３】
上記投入材供給部１１は、図１に示すように、上方及び下方が開放された角筒状の壁１３によって画成されている。この壁１３のうち回転カッタ４ｂ寄りの壁が仕切り案内板１２を構成している。符号１２ａは回転カッタ４ｂを覆う閉塞板である。この閉塞板１２ａは無くてもよいが、仕切り案内板１２及び閉塞板１２ａの少なくとも一方は設けることが好ましい。
なお、この壁１３は無くてもよい。また、投入材供給部１１を画成する壁１３のうち回転カッタ４ｂ側とは反対側の壁１３は省略するか低くしてもよい。このようにすれば、押付け板１６のストロークを小さくすることが可能となる。すなわち、壁１３が画筒状である場合、投入材を投入する際に、押付け板１６が邪魔とならないように押付け板１６を高く上げておく必要があるが、壁１３の一部が開放されていれば、押付け板１６をそれほど高く上げておかなくても、投入材をそこから投入することが可能となる。
【００２４】
また、切断処理装置１は、投入材供給部１１にある投入材を回転カッタ４ａに押し付ける投入材押付け手段１５を備えている。
本実施形態の投入材押付け手段１５は、油圧，空圧等の流体アクチュエータであり、シリンダ１５ａが機枠２に立設した支持部（図示せず）に支持され、ピストンロッド１５ｂの先端に矩形の押付け板１６が保持された構造となっている。
なお、投入材押付け手段１５は流体アクチュエータに限定されない。例えば、投入材押付け手段１５は、流体アクチュエータに代えて、モータと、押付け板１６を螺進させる螺子送り機構とを備えるものであってもよい。
【００２５】
次に、このように構成された切断処理装置１の動作を説明する。
【００２６】
投入材供給部１１に投入された投入材である段ボールＡは、図３に示すように、仕切り案内板１２に案内されて回転カッタ４ａへ押し付けられる。
【００２７】
この状態で、回転カッタ４ａ，４ｂが回転すると、段ボールＡの底部がディスク６ａのブレード５ａによって掻き切られてある程度細かくなった状態で、回転カッタ４ａ，４ｂ間に送り込まれる。そして、一方の回転カッタ４ａにおけるディスク６ａのブレード５ａと他方の回転カッタ４ｂにおけるディスク６ｂとの剪断作用や、一方の回転カッタ４におけるディスク６のブレード５と他方の回転カッタ４のカラー７との引き切り作用によってさらに細かく切断された状態で排出される。
【００２８】
このように構成された切断処理装置１によれば次のような効果が得られる。
例えば、段ボール等の箱に収納された書類（投入材）を切断処理しようとする場合、先ず、投入材は投入材押付け手段１５によって一方の回転カッタ４ａに押し付けられ、当該一方の回転カッタ４ａのブレード５ａによってある程度まで細かく掻き切られ、その後、両回転カッタ４ａ，４ｂ間に送り込まれ、両回転カッタ４ａ，４ｂによって切断処理される。
したがって、両回転カッタのディスクのブレードによって両回転カッタ間に投入材を送り込む従来の切断処理装置に比べて、両回転カッタ４ａ，４ｂ間に送り込まれる投入材の量は半分程度となるが、詰まりが生じにくくなるので、結果的に、効率的に切断処理することができる。
また、投入材は投入材押付け手段１５によって回転カッタ４ａに押し付けられるので、投入材が回転カッタ４ａの上で踊ることも防止される。この点でも、効率的に切断処理することができる。
さらに、仕切り案内板１２によって投入材は確実に一方の回転カッタ４ａまで案内される。
なお、この切断処理装置１は、箱入り投入材、特に、箱入り文書や、束ねられた紙片などの切断処理に用いて特に有効である。
【００２９】
以上、本発明の実施形態について説明したが、本発明は、かかる実施形態には限定されず、その要旨を逸脱しない範囲で種々の変形が可能であることは言うまでもない。
【００３０】
図４は第１の変形例を示している。
この第１の変形例では、回転カッタ４ａ，４ｂを斜めに配置している。そして、仕切り案内板１２も回転カッタ４ａに投入材を供給するように傾斜させている。この場合には、投入材、例えば段ボールＡを仕切り案内板１２に沿って供給し、その段ボールＡを投入材押付け手段１５によって押し込むと、段ボールＡの下面が回転カッタ４ａ押し付けられる。なお、同図において、符号２０は櫛刃状の固定ブレードである。この固定ブレード２０は、投入材が落下してしまうのを防ぐ働きをする。
この構造では、投入材は自重によって仕切り案内板１２に自動的に押し付けられ、仕切り案内板１２で確実に投入材が回転カッタ４ａに送られることになる。
【００３１】
図５は第２の変形例及び第３の変形例を示している。
この第２の変形例及び第３の変形例では、上記実施形態が回転カッタ４ａ，４ｂを水平に並べて配置させているのに対して、回転カッタ４ａ，４ｂを縦に配置させている。
【００３２】
このうち、図５（ａ）は第２の変形例を示し、この第２の変形例では、投入材を仕切り案内板１２の載せ、投入材押付け手段１５によって上部に位置する回転カッタ４ａに押し付け、回転カッタ４ａで掻き切られた投入材を両回転カッタ４ａ，４ｂ間に送り込むようにしている。この場合には、投入材供給部１１の底板が仕切り案内板１２として機能する。
なお、回転カッタ４ｂに対向する部分は閉塞板１２ａによって閉塞されている。また、この第２の変形例においては、閉塞板１２ａと回転カッタ４ｂの隙間から投入材が落下してしまうのを防ぐため、回転カッタ４ｂに嵌合する櫛刃状の固定ブレード２０を設けておくことが好ましい。
【００３３】
また、図５（ｂ）は第３の変形例を示し、この第３の変形例では、投入材押付け手段１５によって投入材を下部に位置する回転カッタ４ｂに押し付け、回転カッタ４ｂで掻き切られた投入材を両回転カッタ４ａ，４ｂ間に送り込むようにしている。なお、回転カッタ４ａに対向する部分は閉塞板１２ａによって閉塞されている。
【符号の説明】
【００３４】
１    切断処理装置
２    機枠
３（３ａ，３ｂ）    回転軸
４（４ａ，４ｂ）    回転カッタ
５（５ａ，５ｂ）    ブレード
６（６ａ，６ｂ）    ディスク
７（７ａ，７ｂ）    カラー（スペーサ）
９    モータ
１１    投入材供給部
１２    仕切り案内板
１２ａ    閉塞板
１５    投入材押付け手段
【図１】
2015229120.tif 000003
【図２】
2015229120.tif 000004
【図３】
2015229120.tif 000005
【図４】
2015229120.tif 000006
【図５】
2015229120.tif 000007